(57)【要約】      （修正有）【課題】運搬、保管、修理が容易で安全性の高い分割式フェンスを提供する。【解決手段】幾つかの固定バー１と、幾つかのフェンスユニット２とを含み、フェンスユニットは、上部フレーム２１、下部フレーム２２、及び２つの側部フレーム２３からなる固定フレームと、固定フレームに固定される幾つかのビーム２４とを含み、幾つかのフェンスユニットの間は、第１の取り外し可能な組立体によって上下端部で連結することを実現し、固定バーは、第２の取り外し可能な組立体によってフェンスユニットに取り外し可能に固定される。【選択図】図２
0003233796.tif 000002
【実用新案登録請求の範囲】
【請求項１】
幾つかの固定バーと、幾つかのフェンスユニットとを含み、前記フェンスユニットは、上部フレーム、下部フレーム、及び２つの側部フレームからなる固定フレームと、前記固定フレームに固定される幾つかのビームとを含み、前記幾つかのフェンスユニットの間は、第１の取り外し可能な組立体によって上下端部で連結することを実現し、前記固定バーは、第２の取り外し可能な組立体によってフェンスユニットに取り外し可能に固定されることを特徴とする分割式フェンス。
【請求項２】
前記上部フレーム及び下部フレームの両端には、何れも収容キャビティが設けられ、前記収容キャビティの上側及び下側の壁には、何れも第１の固定孔が設けられ、
前記第１の取り外し可能な連結組立体は、前記収容キャビティの内部にマッチングする連結部材と、第１の固定部材とを含み、前記連結部材には、前記第１の固定孔にマッチングする２つの第２の固定孔が設けられ、前記第１の固定孔及び第２の固定孔は、何れも第１の固定部材にマッチングすることを特徴とする請求項１に記載の分割式フェンス。
【請求項３】
前記連結部材は、互いに接続可能な２以上の部材からなる、請求項２に記載の分割式フェンス。
【請求項４】
前記連結部材は、互いに接続可能な２つの部材からなり、
前記部材の一方が凹部を有し、前記部材の他方が凸部を有し、
前記凸部と前記凹部とが噛み合うことによって上記２つの部材が一体化して前記連結部材を構成する、
請求項２に記載の分割式フェンス。
【請求項５】
前記連結部材は、全体として、「一」字状をなし、中空管状であるか、又は、その断面が「工」字状をなすことを特徴とする請求項２に記載の分割式フェンス。
【請求項６】
前記連結部材は、全体として、「Ｌ」状をなし、中空管状であることを特徴とする請求項２に記載の分割式フェンス。
【請求項７】
前記連結部材は、全体として、弧形状をなし、中空管状であることを特徴とする請求項２に記載の分割式フェンス。
【請求項８】
前記側部フレームの上端及び下端には、前記第１の固定孔、第２の固定孔、及び第１の固定部材にマッチングする第３の固定孔が設けられることを特徴とする請求項２に記載の分割式フェンス。
【請求項９】
前記第２の取り外し可能な組立体は、上部組立体と下部組立体とを含み、
前記上部組立体は、上部荷重支持部材と、第３の固定部材と、第４の固定部材とを含み、前記上部荷重支持部材は、一体的に成形され、前記固定バーの上端に連結される上部荷重支持部と、上部フレームに連結される折り曲げ部と、上部フレーム２１の底部に位置する下部荷重支持部とを含み、前記固定バーの上端には第４の固定孔が設けられ、前記上部荷重支持部には前記第４の固定孔にマッチングする第５の固定孔が設けられ、第４の固定孔及び第５の固定孔は、何れも前記第３の固定部材にマッチングし、前記上部フレームの側面には第６の固定孔が設けられ、前記折り曲げ部には第６の固定孔にマッチングする第７の固定孔が設けられ、前記第６の固定孔及び第７の固定孔は、前記第４の固定部材にマッチングし、
前記下部組立体は、下部荷重支持部材と、第６の固定部材とを含み、前記下部荷重支持部材は、一体的に成形され、固定バー１の下部に連結される固定部と、下部フレームを支持する下部支持部と、下部フレームを制限する上方に折り曲げられた制限部とを含み、前記固定バーの下部には第８の固定孔が設けられ、前記固定部には第８の固定孔にマッチングする第９の固定孔が設けられ、第８の固定孔及び第９の固定孔は、前記第６の固定部材にマッチングすることを特徴とする請求項１に記載の分割式フェンス。
【考案の詳細な説明】
【技術分野】
【０００１】
本考案は、仕切り設備に関し、特にフェンスに関する。
【背景技術】
【０００２】
フェンスは、一般的に使用される仕切り手段であり、建物の周囲及び人々が通り抜けるのに不適切な場所のような特定の場所に適用される。例えば特許文献１に記載されているように、これまでに、安定した状態で設置可能な様々なフェンスが提案されている。
【０００３】
しかし、実際のフェンスの施工においては異なる状況に応じて、フェンスの長さ、形状を適宜調整する必要があるが、通常、フェンスは、単一に成形される製品であり、仕切りの長さを伸ばす必要がある場合は、一般的には、複数のフェンスユニットを、別途のロープで、上下端部で連結して実現するか、又は、そもそも複数のフェンスユニットは目的地に搬送された時点で既に固定的に連結されているため、運搬が不便で、長さの調節も不便になり、更には、フェンスのある部分が破損した場合、フェンスユニット全体を破棄しなければならず、材料の浪費に繋がる。
【先行技術文献】
【特許文献】
【０００４】
【特許文献１】特開２０１９−１８３３８３号公報
【考案の概要】
【考案が解決しようとする課題】
【０００５】
本考案の目的は、フェンスの破損した部分を容易に増減、交換、修理できないという問題を解決するために、分割式フェンスを提供することにある。
【課題を解決するための手段】
【０００６】
本考案は、上記の目的を達成するために、以下のような技術態様を採用している。
【０００７】
分割式フェンスは、幾つかの固定バーと、幾つかのフェンスユニットとを含み、前記フェンスユニットは、上部フレーム、下部フレーム、及び２つの側部フレームからなる固定フレームと、前記固定フレームに固定される幾つかのビームとを含み、前記幾つかのフェンスユニットの間は、第１の取り外し可能な組立体によって上下端部で連結することを実現し、前記固定バーは、第２の取り外し可能な組立体によってフェンスユニットに取り外し可能に固定される。
【０００８】
更に、前記上部フレーム及び下部フレームの両端には、何れも収容キャビティが設けられ、前記収容キャビティの上側及び下側の壁には、何れも第１の固定孔が設けられる。
【０００９】
前記第１の取り外し可能な連結組立体は、前記収容キャビティの内部にマッチングする連結部材と、第１の固定部材とを含み、前記連結部材には、前記第１の固定孔にマッチングする２つの第２の固定孔が設けられ、前記第１の固定孔及び第２の固定孔は、何れも第１の固定部材にマッチングする。
【００１０】
好ましくは、前記連結部材は、互いに接続可能な２以上の部材からなる。更に好ましくは、前記連結部材は、互いに接続可能な２つの部材からなり、前記部材の一方が凹部を有し、前記部材の他方が凸部を有し、前記凸部と前記凹部とが噛み合うことによって上記２つの部材が一体化して前記連結部材を構成する。
【００１１】
更に、前記連結部材は、全体として、「一」字状をなし、中空管状であるか、又は、その断面が「工」字状をなす。
【００１２】
更に、前記連結部材は、全体として、「Ｌ」状をなし、中空管状である。更に、前記連結部材は、全体として、弧形状をなし、中空管状である。
【００１３】
更に、前記側部フレームの上端及び下端には、前記第１の固定孔、第２の固定孔、及び第１の固定部材にマッチングする第３の固定孔が設けられる。
【００１４】
更に、前記第２の取り外し可能な組立体は、上部組立体と下部組立体とを含む。
【００１５】
前記上部組立体は、上部荷重支持部材と、第３の固定部材と、第４の固定部材とを含み、前記上部荷重支持部材は、一体的に成形され、前記固定バーの上端に連結される上部荷重支持部と、上部フレームに連結される折り曲げ部と、上部フレームの底部に位置する下部荷重支持部とを含み、前記固定バーの上端には第４の固定孔が設けられ、前記上部荷重支持部には前記第４の固定孔にマッチングする第５の固定孔が設けられ、第４の固定孔及び第５の固定孔は、何れも前記第３の固定部材にマッチングし、前記上部フレームの側面には第６の固定孔が設けられ、前記折り曲げ部には第６の固定孔にマッチングする第７の固定孔が設けられ、前記第６の固定孔及び第７の固定孔は、前記第４の固定部材にマッチングする。
【００１６】
前記下部組立体は、下部荷重支持部材と、第６の固定部材とを含み、前記下部荷重支持部材は、一体的に成形され、固定バーの下部に連結される固定部と、下部フレームを支持する下部支持部と、下部フレームを制限する上方に折り曲げられた制限部とを含み、前記固定バーの下部には第８の固定孔が設けられ、前記固定部には第８の固定孔にマッチングする第９の固定孔が設けられ、第８の固定孔及び第９の固定孔は、前記第６の固定部材にマッチングする。
【考案の効果】
【００１７】
本考案は、従来技術と比べて、以下の利点を有する。
（１）第１の取り外し可能な組立体が設けられることによって、各フェンスユニットの間は、取り外しが可能で、搬送が便利で、フェンスの仕切り範囲の調節が可能となる。
（２）フェンスユニットの各フレームは、取り外しが可能で、破損した部材の交換が便利で、フェンス全体を破棄する必要がなく、資源を節約することができる。
（３）第２の取り外し可能な組立体が設けられることによって、固定バーとフェンスユニットとの取り外しを実現し、搬送が便利で、破損した部品の交換も便利で、コストを削減できる。
【図面の簡単な説明】
【００１８】
【図１】図１は、全体図である。
【図２】図２は、分解模式図である。
【図３】図３は、Ａ、Ｂ部分の分解模式図である。
【図４】図４は、「工」字型の連結部材のＣ部分の分解模式図である。
【図５】図５は、管状型の連結部材のＣ部分の分解模式図である。
【図６】図６は、Ｄ部分の分解模式図である。
【図７】図７は、上部フレーム及び下部フレームの構造模式図である。
【図８】図８は、固定バーの構造模式図である。
【図９】図９は、管状型の連結部材及び「工」字型の連結部材の構造模式図である。
【図１０】図１０は、上部荷重支持部材の構造模式図である。
【図１１】図１１は、下部荷重支持部材の構造模式図である。
【図１２】図１２は、連結部材２７の断面を模式的に示す。
【考案を実施するための形態】
【実施例】
【００１９】
以下に、図面及び具体的な実施例を参照して、本考案を詳細に説明する。ここでは、本考案の例示的な実施例及び説明を用いて本考案を解釈するが、本考案を限定するものではない。
図１〜１２に示すように、分割式フェンスは、幾つかの固定バー１と、幾つかのフェンスユニット２とを含み、前記フェンスユニット２は、上部フレーム２１、下部フレーム２２、及び２つの側部フレーム２３からなる固定フレームと、前記固定フレームに固定される幾つかのビーム２４とを含み、前記幾つかのフェンスユニット２の間は、第１の取り外し可能な組立体によって上下端部で連結することを実現し、前記固定バー１は、第２の取り外し可能な組立体によってフェンスユニット２に取り外し可能に固定される。
前記上部フレーム２１、下部フレーム２２の両端には、何れも収容キャビティ２５が設けられ、前記収容キャビティ２５の上側及び下側の壁には、何れも第１の固定孔２５１が設けられる。
前記第１の取り外し可能な連結組立体は、前記収容キャビティ２５の内部にマッチングする連結部材２７と、第１の固定部材２５２とを含み、前記連結部材２７には、前記第１の固定孔２５１にマッチングする２つの第２の固定孔２７１が設けられ、前記第１の固定孔２５１及び第２の固定孔２７１は、何れも第１の固定部材２５２にマッチングする。
図９のＥに示すように、前記連結部材２７は全体として「一」字状をなす中空管状であってよい。この場合、前記連結部材２７の取り付け工程は図５に示すようなものである。
前記連結部材２７は、図９のＦのように、分割された２つの部材からなっていてもよい。この場合、上記２つの部材が少なくとも１つの平面で密着することによって、一体化された１つの前記連結部材２７を形成する。この場合の取り付け工程を図４に示す。
図１２に、前記連結部材２７の一方の部材２６１と他方の部材２６２との関係を示す。理解を容易にするために部材２６１と部材２６２とを色分けしているが、実際には部材２６１と部材２６２とは同質の材料、表面性状を有する。図１２には、連結部材２７の断面が模式的に示されている。実際には連結部材２７において部材２６１と部材２６２とは全く或いはほとんど隙間なく密着することができるが、図１２では部材２６１と部材２６２との位置関係を理解しやすくするために部材２６１と部材２６２との間の隙間が誇張されている。部材２６１と部材２６２とからなる連結部材２６１の断面は、漢字の「工」あるいはカタカナの「エ」に近い形状をなす。
部材２６１と部材２６２とが密着することによって、上記部材２６１から延長するフェンスユニット２と上記部材２６２から延長するフェンスユニット２とが連結する。この場合、連結部材２６１の凹部２６１０と連結部材２６２の凸部２６２０とが噛み合って、凹部２６１０、凸部２６２０、凹部２６１０、さらに凸部２６２０と凹部２６１０との噛み合わせ領域で挟まれた面２６３において、部材２６１と部材２６２とが接続し一体化する。このような方式によって、連結部材２７とフェンスユニット２に様々な向きで力がかかっても部材２６１と部材２６２との位置関係がずれにくく、連結部材２７によってフェンスユニット２が互いに安定して強固に連結することができる。
ある実施例において、前記連結部材２７は、全体として、「Ｌ」状をなし、中空管状であってもよい。
ある実施例において、前記連結部材２７は、全体として、弧形状をなし、中空管状であってもよい。フェンスユニット２は、上下端部で連結された後に、異なる形状の領域を囲んでもよい。
前記側部フレーム２３の上端及び下端には、前記第１の固定孔２５１、第２の固定孔２７１、及び第１の固定部材２５２にマッチングする第３の固定孔２３１が設けられる。
前記第２の取り外し可能な組立体は、上部組立体と下部組立体とを含む。
図３と図１０に前記上部組立体とその構成部材を示す。前記上部組立体は、上部荷重支持部材３１と、第３の固定部材３２と、第４の固定部材３３とを含み、前記上部荷重支持部材３１は、一体的に成形され、前記固定バー１の上端に連結される上部荷重支持部３１１と、上部フレーム２１に連結される折り曲げ部３１２と、上部フレーム２１の底部を支持する下部荷重支持部３１３とを含み、前記固定バー１の上端には第４の固定孔１０１が設けられ、前記上部荷重支持部３１１には前記第４の固定孔１０１にマッチングする第５の固定孔３１１１が設けられ、第４の固定孔１０１及び第５の固定孔３１１１は、何れも前記第３の固定部材３２にマッチングし、前記上部フレーム２１の側面には第６の固定孔１０２が設けられ、前記折り曲げ部３１２には第６の固定孔１０２にマッチングする第７の固定孔３１２１が設けられ、前記第６の固定孔１０２及び第７の固定孔３１２１は、前記第４の固定部材３３にマッチングする。
図６と図１１に前記下部組立体とその周辺を示す。前記下部組立体は、下部荷重支持部材３４と、第６の固定部材３５とを含み、前記下部荷重支持部材３４は、一体的に成形され、固定バー１の下部に連結される固定部３４１と、下部フレーム２２を支持する下部支持部３４２と、下部フレーム２２を制限する上方に折り曲げられた制限部３４３とを含み、前記固定バー１の下部には第８の固定孔１２が設けられ、前記固定部３４１には第８の固定孔１２にマッチングする第９の固定孔３４１１が設けられ、第８の固定孔１２及び第９の固定孔３４１１は、前記第６の固定部材３５にマッチングする。
前記第１の固定部材２５２、第３の固定部材３２、及び第４の固定部材３３は、ねじ、リベット等の同じ固定機能を発揮する部品であってもよく、前記第１の固定孔２５１、第２の固定孔２７１、第３の固定孔２３１、第４の固定孔１０１、第５の固定孔３１１１、第６の固定孔１０２、第７の固定孔３１２１、第８の固定孔１２、及び第９の固定孔３４１１は、ねじ孔、リベット孔等の同じ固定機能を発揮する構造であってもよい。
フェンスユニット２を上下端部で連結する必要がない場合は、ビーム２４を先に固定しておき、ビーム２４の両端を側部フレーム２３に固定してから、第１の固定部材２５２でフェンスユニット２の上部フレーム２１の第１の固定孔２５１、側部フレーム２３の第３の固定孔２３１を固定し、第１の固定部材２５２でフェンスユニット２の下部フレーム２２の第１の固定孔２５１、側部フレーム２３の第３の固定孔２３１を固定して、フェンスユニット２の組み立てを実現し、固定バー１を固定してから、第６の固定部材３５で第８の固定孔１２、第９の固定孔３４１１を固定して、下部荷重支持部材３４が固定バー１の下部に連結されることを実現し、フェンスユニット２を下部支持部３４２に置けるようになり、第４の固定部材３３で第６の固定孔１０２、第７の固定孔３１２１を固定し、第３の固定部材３２で第８の固定孔１２、第９の固定孔３４１１を固定して、上部フレーム２１が上部荷重支持部材３１に支持されることを実現してもよい。複数のフェンスユニット２を連結する必要がある場合は、組み立てる際に、連結部材２７を前のフェンスユニット２の収容キャビティ２５、及び後のフェンスユニット２の収容キャビティ２５に挿入し、第１の固定部材２５２で第１の固定孔２５１及び第２の固定孔２７１を固定すると、複数のフェンスユニット２を順に連結することができる。残りの部材の取り付け方法は、前述を参照すれば、実施することができる。
本考案の分割式フェンスの各部材は、取り付けが簡単で、搬送が便利で、現場の環境に応じて柔軟に調整することができ、一部が破損した部品の交換が便利で、安定性に優れる。
以上、本考案の実施例によって提供される技術態様について詳しく説明したが、本書においては、具体的な例を用いて、本考案の実施例の原理及び実施形態について述べており、以上の実施例についての説明は、本考案の実施例の原理の理解を助けるためのものにすぎず、同時に、当業者であれば、本考案の実施例に基づいて、具体的な実施形態及び適用範囲での変更が可能であり、上記から、本明細書の内容は、本考案を限定するものと解釈されるべきではない。
【産業上の利用可能性】
【００２０】
本発明の分割式フェンスは、各部材の配置と連結によって、姿勢が安定しており、防犯上、生活安全上、問題のない構造物を提供する。特に、凹凸で噛み合わせ固定できる連結部材を用いた場合には、本発明の分割式フェンスは外力耐性が高く、強固な姿勢を保つことができる。
【００２１】
本発明の分割式フェンスに破損した部分があれば、破損部を含むフェンスユニットを取り替えることができる。この場合、取り替えに要する期間はフェンス全体を取り替える工期に比べて格段に短くなる。しかもこの場合は、フェンス全体を取り替える場合に比べて必要な空間や足場は狭いので、人の往来が盛んな商業施設や植え込みや住宅が混み合う住宅地でも容易に施工することができる。したがって本発明の分割式フェンスは、従来品と比べてメンテナンス・コストを低減することができる。
【００２２】
しかも、本発明の分割式フェンスは多様な設置環境とデザイン要求に適合することができる。本考案の分割式フェンスのユニット数を適宜選択することによって、多様な設置環境や施工主の好みに応じたフェンスをカスタマイズすることができる。しかも、本考案の分割式フェンスの部材構成は比較的単純であるため、大量生産、輸送や保管に都合が良い。
【００２３】
このような本考案の分割式フェンスは、建材市場に優れた製品を提供することができる。
【符号の説明】
【００２４】
１  固定バー
１０１  第４の固定孔
１０２  第６の固定孔
１２  第８の固定孔
２  フェンスユニット
２１  上部フレーム
２２  下部フレーム
２３  側部フレーム
２３１  第３の固定孔
２４  ビーム
２５  収容キャビティ
２５１  第１の固定孔
２５２  第１の固定部材
２６１  一方の部材
２６１０  凹部
２６２  他方の部材
２６２０  凸部
２６３  面
２７  連結部材
２７１  第２の固定孔
３１  上部荷重支持部材
３１１  上部荷重支持部
３１１１  第５の固定孔
３１２  折り曲げ部
３１２１  第７の固定孔
３１３  下部荷重支持部
３２  第３の固定部材
３３  第４の固定部材
３４  下部荷重支持部材
３４１  固定部
３４１１  第９の固定孔
３４２  下部支持部
３４３  制限部
３５  第６の固定部材
【図１】
0003233796.tif 000003
【図２】
0003233796.tif 000004
【図３】
0003233796.tif 000005
【図４】
0003233796.tif 000006
【図５】
0003233796.tif 000007
【図６】
0003233796.tif 000008
【図７】
0003233796.tif 000009
【図８】
0003233796.tif 000010
【図９】
0003233796.tif 000011
【図１０】
0003233796.tif 000012
【図１１】
0003233796.tif 000013
【図１２】
0003233796.tif 000014